(57)【要約】【課題】新たな構成を設けることなく、電磁ノイズの放射を抑制することができるディスク装置を得る。【解決手段】ブラケット７が挿入口２側の端部に導電性の遮断片７ｃ，７ｄを立設し、移動機構によって搬送ローラ４が搬送位置から退避するように移動すると、これに応じて遮断片７ｃ、７ｄが挿入口２の開口領域を短手方向に跨ぎ、筐体の内面に当接するように移動し、移動機構によって搬送ローラ４が搬送位置に移動すると、これに応じて遮断片７ｃ、７ｄが筐体の内面との当接を解除してディスクの搬送経路から離れるように移動するものである。【選択図】図５
2014086117.tif 000002
【特許請求の範囲】
【請求項１】
ディスクを挿入／排出する長穴形状の挿入排出口が形成された導電性の筐体と、
前記筐体内部に前記ディスクを挿入／排出する搬送ローラと、
前記搬送ローラを回転可能に保持するローラ保持部材と、
前記挿入排出口から前記ディスクを挿入／排出するときに、前記搬送ローラを搬送位置に移動させ、前記挿入排出口から挿入された前記ディスクが挿入完了位置に到達したときに前記搬送ローラを搬送位置から退避させる移動機構とを備えたディスク装置において、
前記ローラ保持部材は、
前記挿入排出口側の端部に導電性の遮断片を立設し、
前記移動機構によって前記搬送ローラが前記搬送位置から退避するように移動すると、これに応じて前記遮断片が前記挿入排出口の開口領域を短手方向に跨ぎ、前記筐体の内面に当接するように移動し、
前記移動機構によって前記搬送ローラが前記搬送位置に移動すると、これに応じて前記遮断片が前記筐体の内面との当接を解除して前記ディスクの搬送経路から離れるように移動することを特徴とするディスク装置。
【請求項２】
前記保持ローラは、前記挿入排出口の開口領域の長手方向に沿って複数の前記遮断片を有することを特徴とする請求項１記載のディスク装置。
【請求項３】
前記筐体内面に設けられ、前記挿入排出側に開口部を備え、前記搬送位置にある搬送ローラとの間で前記ディスクを挟み込み、前記メディアの搬送をガイドする非導電性のメディアガイドを備え、
前記遮断片は前記開口部を通過して前記筐体の内面に当接することを特徴とする請求項１または請求項２記載のディスク装置。
【発明の詳細な説明】
【技術分野】
【０００１】
この発明は、音響・映像などの再生を行うディスク装置であって、特にディスクを挿入／排出する開口から放射される電磁ノイズを抑制するディスク装置に関するものである。
【背景技術】
【０００２】
音響・映像等の再生を行うディスク装置は、機器本体の外面にディスクを挿入／排出する開口部を有する。当該開口部の長さはディスクの直径より大きく、開口部の長さに対応した波長の電磁波がディスク装置内部から放射される。
ディスク装置の開口部から放射された電磁波は、例えば同一の車両内に搭載された車載ナビゲーションシステムのＧＰＳ受信を妨害するなど、他のディスク装置に対する電磁ノイズとなる場合がある。
【０００３】
従来、ディスク挿入／排出後にシャッター機構を用いてディスクを挿入／排出する開口部全体を物理的に塞ぐ構成が用いられている。また、特許文献１に開示された光ディスクの記録・再生装置では、ディスクを載置するトレー体の前部に設けた蓋体がトレー体に対して所定の位置を取るようにガイド孔と突出部材を配設し、さらに蓋体をトレー体方向に付勢する弦巻バネを設け、蓋体が開口部を所定の位置で隙間なく閉塞させ、ディスクが回転駆動される際に発生する騒音などが外部に漏れるのを防いでいる。
【先行技術文献】
【特許文献】
【０００４】
【特許文献１】特開２００９−４０５１号公報
【発明の概要】
【発明が解決しようとする課題】
【０００５】
しかしながら、上述した従来の技術では、ディスクが回転駆動される際に装置内で発生する騒音の漏えい防止を目的としており、ディスク再生時に装置内から放射される電磁ノイズの漏えい防止に対して十分な効果を発揮するか不明であるという課題があった。
また、ディスクを挿入／排出する開口部を閉じるシャッター機構が電磁ノイズの漏えい防止に対して有効であったとしても、開口部をシャッター機構を用いて閉じる操作が必要となり、操作が面倒であるという課題があった。また、シャッター機構を構成するため、部品点数が多くなり、構成が複雑でコストが増大するという課題があった。
【０００６】
この発明は、上記のような課題を解決するためになされたもので、新たな構成を設けることなく、電磁ノイズの放射を抑制することができるディスク装置を提供することを目的とする。
【課題を解決するための手段】
【０００７】
この発明に係るディスク装置は、ローラ保持部材が挿入排出口側の端部に導電性の遮断片を立設し、移動機構によって搬送ローラが搬送位置から退避するように移動すると、これに応じて遮断片が挿入排出口の開口領域を短手方向に跨ぎ、筐体の内面に当接するように移動し、移動機構によって搬送ローラが搬送位置に移動すると、これに応じて遮断片が筐体の内面との当接を解除してディスクの搬送経路から離れるように移動するものである。
【発明の効果】
【０００８】
この発明によれば、従来より異物の挿入を防止する目的で配設されていた部材を用いて、メディアを挿入／排出する挿入口を長手方向に電磁的に分断し、挿入口から放射される電磁波の波長を変化させ、電磁ノイズの放射を低減することができる。
【図面の簡単な説明】
【０００９】
【図１】実施の形態１によるディスク装置の外観斜視図である。
【図２】実施の形態１によるディスク装置のディスク搬送機構を示す斜視図である。
【図３】実施の形態１によるディスク装置のディスク搬送機構の動作を示す斜視図である。
【図４】実施の形態１によるディスク装置のディスクガイドの構成を示す上面図である。
【図５】実施の形態１によるディスク装置の電磁ノイズ放射抑制機構を示す側方断面図である。
【図６】実施の形態１によるディスク装置の電磁ノイズ放射抑制機構を示す挿入口側正面図である。
【図７】実施の形態１によるディスク装置の電磁ノイズ放射抑制機構を示す正面図である。
【図８】実施の形態１によるディスク装置の遮断片の他の構成を示す図である。
【発明を実施するための形態】
【００１０】
実施の形態１．
図１は、実施の形態１によるディスク装置の外観斜視図である。図２は、実施の形態１によるディスク装置のディスク搬送機構を示す斜視図である。
図１では、スロットイン方式のディスク装置１を示している。ディスク装置１の前面には、メディアであるディスクを挿入／排出するための挿入口２が設けられている。挿入口２より挿入されたディスクは、光などにより記録された情報の再生が行われる、あるいは光などにより情報の記録が行われる。図１および図２に示すように、ディスク装置１内部には、ターンテーブル３が設けられ、搬送機構によって挿入口２からターンテーブル３へディスクの搬送が行われる。
【００１１】
次に、図２を参照しながらディスク搬送機構について説明する。ディスク搬送機構は、搬送ローラ４、回動部材５、スライド部材６およびブラケット（ローラ保持部材）７などで構成される。
搬送ローラ４は、駆動用モータ（不図示）によりギア（不図示）を介して軸心周りに所定方向に回転することにより、挿入口２から挿入されたディスクをターンテーブル３へ搬送する、あるいはターンテーブル３に位置するディスクを挿入口２から搬出する。
【００１２】
回動部材５は、図１で示したクランプ部材８に第１の戻しバネ（不図示）に抗して回動可能に取り付けられ、ディスクの挿入状態に基づいて矢印Ａ方向または矢印Ａ´方向に回動する。所定位置まで挿入されたディスクの端面により、回動部材５の端部５ａが押されて矢印Ａ方向に回動した場合、回動部材５の他端部５ｂがスライド部材６の端部６ａと当接する方向に回動する。また、ディスクの端面による押圧が解除された回動部材５が第１の戻しバネの戻し力によって矢印Ａ´方向に回動した場合、回動部材５の他端部５ｂがスライド部材６の端部６ａとの当接を解除する方向に回動する。なお、回動部材５は、ディスクの端面により所定の位置まで押し戻されると回動部材５内のバネ（不図示）によってディスクの端面から離れる方向に移動する。
【００１３】
スライド部材６は、端部６ａが回動部材５の回動力によって矢印Ｂ方向に押し出された場合、この押し出し力により他端部６ｂが搬送ローラ４をディスク装置１の下方に向けて押し下げる。また、回動部材５による押し出し力が解除された場合、搬送ローラ４は第２の戻しバネ（不図示）の戻し力によってディスク装置１の上方に移動復元移動する。なお、第２の戻しバネは、搬送ローラ４に配設してもよいし、ブラケット７に配設してもよい。
【００１４】
ブラケット７は、長手方向の両端部に壁部７ａ，７ｂを立設し、立設した壁部７ａ，７ｂのターンテーブル３側端部で搬送ローラ４の両端部を回動可能に保持する。また、立設した壁部７ａ，７ｂの中央付近の回動支点７ａ´，７ｂ´において、ブラケット７がディスク装置１の筐体に回動可能に固定される。さらに、ブラケット７の挿入口２側端部、且つブラケット７の長手方向の２か所から突出した部材をディスク装置１の上方に設けて折り曲げた遮断片７ｃ，７ｄが形成されている。当該遮断片７ｃ，７ｄは、ディスク挿入時に異物の挿入を防止する機能および電磁ノイズの放射を抑制する機能を果たす。
【００１５】
次に、図３を参照しながら、ディスク挿入に伴うディスク搬送機構の動作について説明する。
図３は、実施の形態１によるディスク装置のディスク搬送機構の動作を示す斜視図である。図３（ａ）はディスク挿入時を示し、図３（ｂ）はディスク挿入完了時を示している。
図３（ａ）に示すように、ディスク挿入時には搬送ローラ４はディスク装置１の上方に位置してディスク１００の裏面に当接し、ディスク１００をディスク装置１の内部方向に搬送する。図３（ａ）では、ディスク１００の端面は回動部材５の端部５ａに当接する位置には到達していない。回動部材５の端部５ａとディスク１００の端面とが当接していない場合、回動部材５の他端部５ｂがスライド部材６を矢印Ｂ方向の押し出す力は解除されており、搬送ローラ４は第２の戻しバネの戻し力によって復元位置、すなわちディスク装置１の上方に移動している。この場合、搬送ローラ４はディスク１００の裏面と当接し、搬送ローラ４の所定方向への回転に伴ってディスク１００の搬送が行われる。
【００１６】
搬送ローラ４によってディスク１００の搬送が進み、ディスク１００の端面が回動部材５の端部５ａに当接する位置まで挿入されると、図３（ｂ）に示すように回動部材５の端部５ａがディスク１００の端面に押されて矢印Ａ方向に回動する。この回動動作によって、回動部材５の他端部５ｂはスライド部材６の端部６ａと当接して、スライド部材６を矢印Ｂ方向に押し出す。スライド部材６は、特定の位置まで移動するとギア列のギア９が噛み込みモータ（不図示）の動力によって再生位置まで矢印Ｂ方向に移動する。また、スライド部材６はギア列のギア９と係合するラック６ｃを備え、スライド部材６が矢印Ｂ方向に押し出されると、ラック６ｃを介して他端部６ｂも矢印Ｂ方向に押し出され、他端部６ｂに設けた斜面に沿って、搬送ローラ４の端部がディスク装置１の下方に向けて押し下げられる。これにより、搬送ローラ４とディスク１００の裏面との当接が解除され、ディスク１００の搬送動作が停止する。
【００１７】
搬送ローラ４がディスク装置１の上方に位置する場合（図３（ａ）参照）、ブラケット７の挿入口２側端部は、回動支点７ａ´，７ｂ´を支点にしてディスク装置１の下方に移動し、遮断片７ｃ，７ｄがディスク１００の搬送経路から離れた位置に移動する。一方、搬送ローラ４がディスク装置１の下方に位置する場合（図３（ｂ）参照）、ブラケット７の挿入口２側端部は、回動支点７ａ´，７ｂ´を支点にしてディスク装置１の上方に移動し、遮断片７ｃ，７ｄが挿入口２を短手方向に跨ぐ位置に移動する。
【００１８】
上述した動作を行うディスク搬送機構とディスク装置１の天板との間にはディスクガイド１０が配置される。図４は、実施の形態１によるディスク装置のディスクガイドの構成を示す上面図である。
ディスクガイド１０は、挿入口２が設けられたディスク装置１の前方端面から搬送ローラ４の配置位置付近までの領域を覆う形状を有し、ディスク１００が搬送ローラ４と当接する位置まで挿入される際にディスク１００がディスク装置１の天板と接触して傷付くのを防止する。さらに、ディスクガイド１０は、ディスク１００が搬送ローラ４と当接する位置まで挿入されると、搬送ローラと共に当該ディスクを挟んで保持する。
【００１９】
また、ディスクガイド１０は、ブラケット７の遮断片７ｃ，７ｄの先端部が当接する位置に開口部１０ａ，１０ｂを形成している。これにより、ブラケット７の挿入口２側端部がディスク装置１の上方に移動した際に、遮断片７ｃ，７ｄが当該開口部１０ａ，１０ｂを通過してディスク装置１の天板の内側に当接する。ディスクガイド１０はポリアセタールなどの樹脂材料で構成され、ディスク装置１の天板およびブラケット７は例えばＳＥＣＣ（電気亜鉛めっき鋼板）などの導電性部材で構成される。ディスクガイド１０に開口部１０ａ，１０ｂを形成し、ブラケット７の遮断片７ｃ，７ｄを当該開口部１０ａ，１０ｂを通過させてディスク装置１の天板の内側に当接させることにより、導電性部材同士を当接させることができる。
【００２０】
次に、この導電性部材同士を当接させることにより電磁シールドを構成し、電磁ノイズの放射を抑制する電磁ノイズ放射抑制機構について説明する。
図１で示したように、挿入口２は電磁ノイズを放射する原因となる長手方向の距離が長いスリット形状である。高い周波数の電磁ノイズは放射の指向性が鋭くなるため、長手方向の距離が長いスリットから放射されやすくなる。そこで、この実施の形態１では、導電性部材同士を当接させることにより挿入口２を長手方向に複数の領域に分断し、且つ電磁シールドを行い、高い周波数の電磁ノイズの放射を抑制する。
【００２１】
図５は、実施の形態１によるディスク装置の電磁ノイズ放射抑制機構の詳細を示す側方断面図であり、図５（ａ）はディスク挿入待機時を示し、図５（ｂ）はディスク挿入完了時を示している。なお、図５（ｂ）では挿入されたディスクの記載を省略している。また、図６は図５（ａ）および図５（ｂ）に対応した挿入口側正面図である。図７は、実施の形態１によるディスク装置の電磁ノイズ放射抑制機構を示す正面図であり、ディスク挿入完了時を示している。なお、図７ではディスクガイド１０および天板１１を断面で示している。
【００２２】
上述したように、遮断片７ｃ，７ｄはそれぞれ、ブラケット７の長手方向、且つ挿入口２側端部から突出した部材をディスク装置１の上方に向けて折り曲げ形成されたものである。さらに遮断片７ｃ，７ｄは、ディスク挿入待機時にディスク１００の挿入を妨げない長さ、且つディスク挿入完了時に先端部がディスク装置１の天板１１の内側に当接する長さで構成される。
【００２３】
図５（ａ）および図６（ａ）に示すように、ディスク挿入待機時、すなわち搬送ローラ４がディスク装置１の上方に位置する場合、ブラケット７の遮断片７ｃ，７ｄがディスク装置１の下方であって、挿入口２から挿入されたディスクの搬送経路からはなれた位置に移動する。
また、図５（ｂ）、図６（ｂ）および図７に示すように、ディスク挿入完了時、すなわち搬送ローラ４がディスク装置１の下方に位置する場合、ブラケット７の遮断片７ｃ，７ｄがディスク装置１の上方に移動し、遮断片７ｃ，７ｄの先端部がディスクガイド１０の開口部１０ａ，１０ｂを通過して天板１１の内側に当接し、挿入口２を跨ぐように位置する。
【００２４】
図７に示すように、開口部１０ａ，１０ｂはそれぞれ、対応する遮断片７ｃ，７ｄが通過可能な幅および長さを有し、挿入口２から挿入されたディスク１００への傷つきを防止する機能を損なわない形状であれば適宜構成可能である。また、遮断片７ｃ，７ｄの先端部の形状は、天板１１の内側と面で接する形状としてもよいし、天板１１の内側と点で接する形状であってもよい。さらに、遮断片７ｃ，７ｄの先端部と天板１１とをより強く当接させるために、天板１１の内側、且つ遮断片７ｃ，７ｄの先端部が当接する位置に凹みを設け、当該凹みに遮断片７ｃ，７ｄの先端部を当接させるように構成してもよい。
【００２５】
導電性部材で構成されたブラケット７の遮断片７ｃ，７ｄを、同じく導電性部材で構成されたディスク装置１の天板１１の内側に当接させることにより、ブラケット７からディスク装置１内が電磁シールドされる。なお、搬送ローラ４を保持するブラケット７の一部を、導電性部材で構成されたディスク装置１の底板（不図示）と接触させるものとする。また、図６（ｂ）および図７に示すように、ブラケット７の遮断片７ｃ，７ｄが開口部１０ａ，１０ｂを通過して先端部がディスク装置１の天板１１の内側に当接することにより、挿入口２の開口領域を長手方向に領域Ｘ，Ｙ，Ｚの３つの領域に電磁的に分断する。これにより、挿入口２の各領域Ｘ，Ｙ，Ｚから放射される電磁波の周波数が低減され、高い周波数の電磁波が放射されるのを抑制することができ、ＧＰＳ受信を妨害する電磁ノイズなどの放射を抑制することができる。
【００２６】
さらに、ブラケット７の遮断片７ｃ，７ｄは、ディスク挿入完了時にディスク装置１の天板１１の内側に当接することから、ディスク挿入完了後にディスク装置１内に異物が挿入されるのを防止する機能も果たす。
【００２７】
なお、ブラケット７の遮断片７ｃ，７ｄがディスク装置１の天板１１の内側に当接して挿入口２の開口領域を長手方向に電磁的に分断し、分断された各開口領域の長手方向の距離によって、各開口領域から放射される電磁波の周波数が決定される。そのため、放射を抑制した電磁波の周波数に合わせて、配置する遮断片７ｃ，７ｄの位置を決定してもよく、さらには配置する遮断片の数を増減させてもよい。開口領域を電磁的に全て遮蔽する構成としてもよい。
図８は、実施の形態１のディスク装置の遮断片の他の構成を示す図であり、３つの遮断片７ｃ，７ｄ，７ｅを配置した場合を示している。また、ディスクガイド１０にも遮断片７ｅが当接する位置に開口部１０ｃを追加して形成している。挿入口２の開口領域が長手方向に電磁的に４つに分断され、図７の場合と比較して、各開口領域から放射される電磁波の周波数をより低減することができる。
【００２８】
以上のように、この実施の形態１によれば、ブラケット７の長手方向、且つ挿入口２側端部から突出した部材をディスク装置１の上方に向けて折り曲げ形成した遮断片７ｃ，７ｄを備え、ディスクガイド１０に遮断片７ｃ，７ｄが当接する位置に開口部１０ａ，１０ｂを形成し、ディスク挿入完了時に、遮断片７ｃ，７ｄの先端部が開口部１０ａ，１０ｂを通過して天板１１の内側に当接し、遮断片７ｃ，７ｄが挿入口２を跨ぐように位置するように構成したので、導電性部材で構成したブラケット７の遮断片７ｃ，７ｄと、同じく導電性部材で構成した天板１１とを当接させ、挿入口２の開口領域を長手方向に電磁的に分断すると共に、ブラケット７からディスク装置１内を電磁シールドすることができる。これにより、同一空間に配置されたナビゲーションシステムのＧＰＳ受信などを妨害する電磁ノイズの放射を抑制することができる。
【００２９】
また、この実施の形態１によれば、従来ディスク挿入完了時に異物の挿入を防止する目的で配置した遮断片を、ディスク挿入完了時にディスク装置１の天板１１に当接可能な長さに調整し、遮断片７ｃ，７ｄとするように構成したので、新たな構成を設けることなく、従来の異物の挿入を防止する機能と、電磁ノイズの放射を抑制する機能とを提供することができる。
【００３０】
また、この実施の形態１によれば、放射を抑制した電磁波の周波数に合わせて、遮断片７ｃ，７ｄ，（７ｅ）の配置位置および配置数を変更可能に構成したので、対策対象となる周波数に合わせた構成を選択することができる。
【００３１】
なお、上述した実施の形態１では、遮断片７ｃ，７ｄ，（７ｅ）をブラケット７に一体形成する構成を示したが、導電性材料からなる別部材で形成した遮断片７ｃ，７ｄ，（７ｅ）をブラケット７に立設してもよい。
【００３２】
なお、本願発明はその発明の範囲内において、実施の形態の任意の構成要素の変形、もしくは実施の形態の任意の構成要素の省略が可能である。
【符号の説明】
【００３３】
１  ディスク装置、２  挿入口、３  ターンテーブル、４  搬送ローラ、５  回動部材、５ａ，６ａ  端部、５ｂ，６ｂ  他端部、６  スライド部材、６ｃ  ラック、７  ブラケット、７ａ，７ｂ  壁部、７ａ´，７ｂ´  回動支点、７ｃ，７ｄ，７ｅ  遮断片、８  クランプ部材、９  ギア、１０  ディスクガイド、１０ａ，１０ｂ，１０ｃ  開口部、１１  天板、１００  ディスク。
【図１】
2014086117.tif 000003
【図２】
2014086117.tif 000004
【図３】
2014086117.tif 000005
【図４】
2014086117.tif 000006
【図５】
2014086117.tif 000007
【図６】
2014086117.tif 000008
【図７】
2014086117.tif 000009
【図８】
2014086117.tif 000010